(57)【特許請求の範囲】
【請求項１】
窓枠に取り付けた枠側取付プレートに対して、窓側取付プレートを、リンク機構をもって、前記窓側取付プレートの基端部が外方に移動可能、かつ前記窓側取付プレートの先端部が前記基端部を中心として外向きに回動可能として支持するようにされている辷り出し窓用ステーにおける前記窓側取付プレートに、奥部の幅を開口幅より大としたあり溝を外周面の長手方向に設けた窓框が取り付けられる取付構造であって、 前記窓側取付プレートの先端部に短寸の起立片を介してクランク状に設けられている取付片が、前記窓框の外周のうち、窓框を構成する一框材の外周面におけるあり溝の奥部に嵌合されて、前記あり溝の奥部の内面に当接された状態で、かつ前記窓側取付プレートの基端部に設けられている起立片が、前記一框材と隣接する他の框材の外周面またはこの外周面に設けられたあり溝の奥部の内面に当接された状態で、前記取付片と起立片がそれぞれ框材に固着手段をもって固着されていることにより、窓側取付プレートに窓框が取り付けられていることを特徴とする辷り出し窓におけるステーへの窓框の取付構造。
【請求項２】
取付片の幅が、あり溝の奥部の幅とほぼ同一かまたはわずかに小、かつあり溝の開口幅より大となっており、かつ前記取付片が嵌合されるあり溝が設けられた框材の外周面の側端部に、幅が前記あり溝の奥部の幅とほぼ同一かまたはそれより大であるとともに、前記奥部に連通する取付片挿入用の切欠きが設けられている請求項１記載の辷り出し窓におけるステーへの窓框の取付構造。
【請求項３】
窓側取付プレートの先端部に設けた起立片の長さが、取付片を框材に設けた取付片挿入用の切欠きに挿入して、窓側取付プレートを框材の外周面に当接させたとき、取付片があり溝の奥部に対峙するように定められている請求項２記載の辷り出し窓におけるステーへの窓框の取付構造。
【請求項４】
窓側取付プレートに、框材に設けた取付片挿入用の切欠きに嵌合する突部が設けられており、この突部の先端が、あり溝の奥部内において、前記框材に固着手段をもって固着されている請求項２または３記載の辷り出し窓におけるステーへの窓框の取付構造。
【請求項５】
窓側取付プレートの基端部に設けられた起立片が、取付片が嵌合されるあり溝が設けられた框材と隣接する他の框材の外周面に設けたあり溝の奥部の内面に当接されている請求項１〜４のいずれかに記載の辷り出し窓におけるステーへの窓框の取付構造。
【請求項６】
取付片または起立片を框材に固着する固着手段として、固定ねじが用いられている請求項１〜５のいずれかに記載の辷り出し窓におけるステーへの窓框の取付構造。
【請求項７】
辷り出し窓用ステーが、枠側取付プレートの基端部と窓側取付プレートの基端部とを連結するショートアームと、枠側取付プレートの先端部と窓側取付プレートの先端部とを連結するロングアームとを有するリンク機構を備えているものである請求項１〜６のいずれかに記載の辷り出し窓におけるステーへの窓框の取付構造。
【発明の詳細な説明】
【技術分野】
【０００１】
本発明は、辷り出し窓におけるステーへの窓框の取付構造に関する。
【背景技術】
【０００２】
窓枠に対して、障子を、その一方の側端部をわずかに外方に移動させつつ、他方の側端部を、上記一方の側端部を中心として、外方に回動させるようにして開く辷り出し窓は公知である。
この辷り出し窓を、上記のように移動しうるように支持するため、上下１対の辷り出し窓用ステーが用いられている。
【０００３】
従来の辷り出し窓用ステーは、窓枠に取り付けた枠側取付プレートに対して、窓側取付プレートを、リンク機構をもって、前記窓側取付プレートの基端部が外方に移動可能、かつ前記窓側取付プレートの先端部が前記基端部を中心として外向きに回動可能として支持するようにしたものが一般的である（例えば特許文献１および２参照）。
【先行技術文献】
【特許文献】
【０００４】
【特許文献１】特開２００８−１６９６６９号公報
【特許文献２】特開２００６−１０４７１６号公報
【発明の概要】
【発明が解決しようとする課題】
【０００５】
従来のこの種の辷り出し窓の窓框の外周面には、ロック機構その他の付属部品を取り付け易くするための長手方向のあり溝が設けられているものがある。このような窓框に、上記のような窓側取付プレートを取り付ける際、窓側取付プレートを窓框の外周面に当接させて、その中心部をねじ止めしようとすると、その固定ねじがあり溝を通るため、固定ねじの締付けに支障を来すとともに、あり溝の縁が破損する等のおそれがある。
そこで、従来は、あり溝内にスペーサを嵌合し、このスペーサを介して、窓側取付プレートを窓框にボルト止めしている。
【０００６】
しかし、ステーへの窓框の取り付け作業時に、このようなスペーサを窓框のあり溝に嵌合し、その位置決めを図ったり、スペーサに設けたねじ挿通孔に固定ねじを挿通させたりするのは煩雑であり、作業効率を悪くする要因となっている。
また、このスペーサを設けることにより、固定ねじの固着力が弱まるという問題もある。
【０００７】
本発明は、従来の技術が有する上記のような問題点に鑑みてなされたもので、外周面にあり溝を設けた窓框を、窓側取付プレートへ、簡単かつ迅速に、しかも強力に取り付けることができるようにした辷り出し窓におけるステーへの窓框の取付構造を提供することを目的としている。
【課題を解決するための手段】
【０００８】
本発明によると、上記課題は、次のようにして解決される。
（１）窓枠に取り付けた枠側取付プレートに対して、窓側取付プレートを、リンク機構をもって、前記窓側取付プレートの基端部が外方に移動可能、かつ前記窓側取付プレートの先端部が前記基端部を中心として外向きに回動可能として支持するようにされている辷り出し窓用ステーにおける前記窓側取付プレートに、奥部の幅を開口幅より大としたあり溝を外周面の長手方向に設けた窓框が取り付けられる取付構造であって、 前記窓側取付プレートの先端部に短寸の起立片を介してクランク状に設けられている取付片が、前記窓框の外周のうち、窓框を構成する一框材の外周面におけるあり溝の奥部に嵌合されて、前記あり溝の奥部の内面に当接された状態で、かつ前記窓側取付プレートの基端部に設けられている起立片が、前記一框材と隣接する他の框材の外周面またはこの外周面に設けられたあり溝の奥部の内面に当接された状態で、前記取付片と起立片がそれぞれ框材に固着手段をもって固着されていることにより、窓側取付プレートに窓框が取り付けられていることを特徴とする辷り出し窓におけるステーへの窓框の取付構造とする。
【０００９】
このような構成とすると、窓側取付プレートの基端部に設けた起立片を、たとえば側框の外周面に設けたあり溝の奥部の内面に当接させて、窓側取付プレートの先端部に設けた取付片を、下框の外周面におけるあり溝の奥部に嵌合し、かつ前記取付片と起立片を、固着手段をもって框材に固着することにより、外周面にあり溝を設けた窓框を、窓側取付プレートに、簡単かつ迅速に取り付けることができる。
また、窓側取付プレートを、従来のようなスペーサを用いることなく、固着手段をもって、直接窓框に固着するので、大きな固着力が得られる。
【００１０】
（２）上記(１)項において、取付片の幅が、あり溝の奥部の幅とほぼ同一かまたはわずかに小、かつあり溝の開口幅より大となっており、かつ前記取付片が嵌合されるあり溝が設けられた框材の外周面の側端部に、幅が前記あり溝の奥部の幅とほぼ同一かまたはそれより大であるとともに、前記奥部に連通する取付片挿入用の切欠きが設けられているものとする。
【００１１】
このような構成とすると、取付片が切欠きに嵌合するようにして、窓框を窓側取付プレート上に載置し、次いで、取付片があり溝の奥部に進入するように、窓框を窓側取付プレートの基端部に向かって相対的に摺動させ、窓框の側端が窓側取付プレートの基端部側の起立片に当接した後、取付片を、固着手段をもって窓框に固着することにより、窓框を、窓側取付プレートに、より簡単かつ迅速に取り付けることができる。
【００１２】
（３）上記(２)項において、窓側取付プレートの先端部に設けた起立片の長さが、取付片を框材に設けた取付片挿入用の切欠きに挿入して、窓側取付プレートを框材の外周面に当接させたとき、取付片があり溝の奥部に対峙するように定められているものとする。
【００１３】
このような構成とすると、上記(２)項において、取付片が切欠きに嵌合するようにして、窓框を窓側取付プレート上に載置した後、窓框を窓側取付プレートの基端部に向かって相対的に摺動させる際に、取付片があり溝の奥部に円滑に案内される。
【００１４】
（４）上記(２)または(３)項において、窓側取付プレートに、框材に設けた取付片挿入用の切欠きに嵌合する突部が設けられており、この突部の先端が、あり溝の奥部内において、前記框材に固着手段をもって固着されているものとする。
【００１５】
このような構成とすると、上記(２)項において、取付片が切欠きに嵌合するようにして、窓框を窓側取付プレート上に載置した後、窓框を窓側取付プレートの基端部に向かって相対的に摺動させる際に、突部が切欠きに嵌合することにより、窓框が、位置ずれすることなく、窓側取付プレートの基端部に向かって円滑に案内されるとともに、窓框の荷重が、取付片を介して、それに連続する起立片に集中するのを防止し、起立片と突部とによって、窓框の荷重を分散して支えることができる。
【００１６】
（５）上記(１)〜(４)項のいずれかにおいて、窓側取付プレートの基端部に設けられた起立片が、取付片が嵌合されるあり溝が設けられた框材と隣接する他の框材の外周面に設けたあり溝の奥部の内面に当接されているものとする。
【００１７】
このような構成とすると、窓側取付プレートの基端部側の起立片が、窓框の外周面のあり溝内に収容され、窓框の外周面より外側に突出することがないので、他物と干渉するおそれがなく、また体裁もよい。
【００１８】
（６）上記(１)〜(５)項のいずれかにおいて、取付片または起立片を框材に固着する固着手段として、固定ねじが用いられているものとする。
【００１９】
このような構成とすると、固着手段を、安価に製造できるとともに、取付片を窓框に強力に固着することができる。
【００２０】
（７）上記(１)〜(６)項のいずれかにおいて、辷り出し窓用ステーが、枠側取付プレートの基端部と窓側取付プレートの基端部とを連結するショートアームと、枠側取付プレートの先端部と窓側取付プレートの先端部とを連結するロングアームとを有するリンク機構を備えているものとする。
【００２１】
このような構成とすると、窓框を上記(１)項に記載したように円滑に移動しうる辷り出し窓用ステーを提供することができる。
【発明の効果】
【００２２】
本発明によると、外周面にあり溝を設けた窓框を、窓側取付プレートへ、簡単かつ迅速に、しかも強力に取り付けることができるようにした辷り出し窓におけるステーへの窓框の取付構造を提供することができる。
【図面の簡単な説明】
【００２３】
【図１】本発明の一実施形態を備える辷り出し窓を途中まで開いたときの右下部を、前方の内側斜め上方より見た斜視図である。
【図２】見る方向を、外側寄りに移して図１と同一部分を見た斜視図である。
【図３】同じく、分解斜視図である。
【図４】図１と同一部分を、後方の外側斜め下方より見た斜視図である。
【図５】窓側取付プレートと窓框との固着部分の縦断正面図である。
【発明を実施するための形態】
【００２４】
以下、本発明の一実施形態を備える辷り出し窓を、添付図面に基づいて説明する。
この辷り出し窓は、方形の窓枠１と、その内部に開閉可能として嵌合される障子２と、この障子２の右側部を、窓枠１に対して支持する上下１対の辷り出し窓用ステー(以下単にステーという)３とからなっているが、上下のステー３は、互いに上下対称の同一構造であるため、下方のステー３のみについて図示し、上方のステーについては、図示を省略してある。
また、以下の説明においても、下方のステー３のみについて行い、上方のステーについては説明を省略する。
【００２５】
窓枠１は、下枠４と、左右両側枠(その右方のもののみを図示する)５と、上枠(図示略)とからなっている。
【００２６】
障子２は、方形の板ガラス(図示略)と、その外周を囲む方形の窓框７とからなっており、窓框７は、下框８と、左右両側框(その右方のもののみを図示する)９と、上框(図示略)の各框材を、両端を４５度にカットし、溶着して方形状に組立てることにより形成されている。
【００２７】
窓框７の後面、すなわち屋外側の面には、外向きフランジが設けられている。すなわち、下框８における本体部８ａの後面には、下方を向く外向きフランジ８ｂが、側框９における本体部９ａの後面には、外側方を向く外向きフランジ９ｂが、さらに、上框における本体部(図示略)の後面には、上方を向く外向きフランジ(図示略)がそれぞれ設けられている。
【００２８】
窓框７の外周面、すなわち下框８、左右両側框９および上框の各本体部８ａ、９ａの外周面には、開口部１１ａに互いに対向する内向き突部１０、１０を設けることにより、開口部１１ａの幅より奥部１１ｂの幅を大とした長手方向を向くあり溝１１がそれぞれ設けられている。
【００２９】
下框８の本体部８ａの下面における突部１０の右側部、および右方の側框９の外側面における突部１０の下端部を切除することにより、あり溝１１における奥部１１ｂの幅と同幅か、またはそれより大とした幅をもって下方と右側方とに開口し、かつ奥部１１ｂに連通する、後述する取付片３１挿入用の切欠き１２が設けられている。
【００３０】
ステー３は、複数の固定ねじ１３をもって下枠４の上面に固着された枠側取付プレート１４と、この枠側取付プレート１４の基端部、すなわち右端部に、上下方向の枢軸１５をもって基端部が枢着されたショートアーム１６と、枠側取付プレート１４の先端部、すなわち左端部に、上下方向の枢軸１７をもって基端部が枢着されたロングアーム１８と、ショートアーム１６の先端部に基端部が上下方向の枢軸１９をもって、また、ロングアーム１８の先端部に先端部が上下方向の枢軸２０をもってそれぞれ枢着された窓側取付プレート２１とからなる４節リンク機構２２を備えている。
【００３１】
窓側取付プレート２１は、この４節リンク機構２２をもって、窓枠１に取り付けた枠側取付プレート１４に対して、右端部である基端部が外方(後方)に移動可能、かつ先端部(左端部)が基端部を中心として外向きに回動可能として支持されている。
【００３２】
図５に示すように、枢軸１９は、筒部２３ａの先端に拡径フランジ２３ｂを設けたリベット２３における上記筒部２３ａを、ショートアーム１６の先端部に設けた軸孔２４と、窓側取付プレート２１の基端部に設けた軸孔２５とに嵌合するとともに、ショートアーム１６の軸孔２４の内面と筒部２３ａの外周面との間、およびショートアーム１６における軸孔２４周辺と窓側取付プレート２１における軸孔２５周辺との間、並びにショートアーム１６の軸孔２４周辺とリベット２３の拡径フランジ２３ｂとの間に、ワッシャ２６、２７をそれぞれ挟んで、上下方向から互いに押しつけた状態で、リベット２３における筒部２３ａの基端部を、外側に拡開するようにかしめることにより、窓側取付プレート２１に固着され、ショートアーム１６と窓側取付プレート２１との枢軸１９周りの回動に、適度の抵抗力を付与するようにしてある。
【００３３】
枢軸２０、および図示は省略してあるが、枢軸１５および１７も、上記と同様のリベット２３、およびワッシャ２６、２７等を用いて、同様の構成で、窓側取付プレート２１、および枠側取付プレート１４に固着されている。
【００３４】
枠側取付プレート１４の上面には、窓側取付プレート２１が最大に開いたときに、ショートアーム１６の基部の左側縁に当接して、窓側取付プレート２１のそれ以上の開きを阻止するストッパ２８と、窓側取付プレート２１を閉じたときに、ショートアーム１６の基部の右側縁に当接して、窓側取付プレート２１のそれ以上の閉じる方向への回動を阻止するストッパ２９とが設けられている。
【００３５】
窓側取付プレート２１の基端部には、幅を、窓框７の側框９における本体部９ａの外周面に設けたあり溝１１の開口部１１ａの幅より小とした起立片３０が設けられている。
【００３６】
窓側取付プレート２１の先端部には、窓側取付プレート２１と平行をなす取付片３１が、短寸の起立片３２を介してクランク状に連設されている。
この取付片３１の幅は、窓框７の下框８における本体部８ａの下面に設けたあり溝１１における奥部１１ｂの幅とほぼ同一かまたはわずかに小、かつあり溝１１の開口部１１ａの幅より大としてある。
起立片３２の幅は、この例では、取付片３１の幅と同一としてあるが、あり溝１１の開口部１１ａの幅より小とすることもある。
起立片３２の上下方向の長さは、取付片３１を下框８の外周面である下面に設けた切欠き１２に挿入して、窓側取付プレート２１を下框８の下面に当接させたとき、取付片３１があり溝１１の奥部１１ｂに対峙するように定めてある。
【００３７】
窓側取付プレート２１の上面における枢軸１９と枢軸２０との間で、枢軸１９寄りの部分には、下框８の下面に設けた切欠き１２に嵌合しうるようにした半球状の突部３３が設けられている。
この突部３３の上端面は、取付片３１の上面と等高としてあり、その中央にはねじ挿通孔３４が設けられている。
【００３８】
窓側取付プレート２１の下面における枢軸１９と枢軸２０との間で、枢軸２０寄りの部分には、窓側取付プレート２１が最大に開いたときに、ロングアーム１８の先端部の側縁が当接して、窓側取付プレート２１のそれ以上の開きを阻止するようのした、筒軸状のストッパ３５が設けられている(図４および図５参照)。
【００３９】
下框８の下面に設けた切欠き１２の左右方向の長さは、この例においては、窓側取付プレート２１における起立片３０の内側面から起立片３２の内側面までの距離より僅かに長いものとしてあるが、起立片３０の内側面から取付片３１の先端までの距離より長くすることもある。
【００４０】
下框８の本体部８ａの中空部には、あり溝１１の右側部の上方に位置するように、当て板３６が配設され、位置決めと仮止め用の固定ねじ３７をもって、本体部８ａ内に固着されている。
この当て板３６には、窓側取付プレート２１における突部３３のねじ挿通孔３４と、取付片３１に設けた左右１対のねじ挿通孔３８、３９とに対応するように、３個のねじ孔４０、４１、４２と、固定ねじ３７が螺合するねじ孔４３とが設けられている。
また、下框８の本体部８ａにおけるあり溝１１の奥部１１ｂの上壁にも、窓側取付プレート２１におけるねじ挿通孔３４、３８、３９とに対応するように、３個のねじ挿通孔４４、４５、４６と、上記固定ねじ３７用のねじ挿通孔４７とが設けられている。
【００４１】
窓側取付プレート２１における起立片３０の上端部には、ねじ挿通孔４８が、またそれに対向する側框９の本体部９ａの外周面（外側面）におけるあり溝１１の奥部１１ｂの奧端面（内面）には、ねじ孔４９が設けられている。
【００４２】
窓側取付プレート２１に窓框７を取り付けるには、取付片３１が切欠き１２に嵌合するようにして、窓框７を窓側取付プレート２１上に載置し、次いで、取付片３１があり溝１１の奥部１１ｂに進入するように、窓框７を窓側取付プレート２１の基端部に向かって相対的に摺動させ、窓框７における側框９の本体部９ａの外周面におけるあり溝１１の奥部１１ｂの奧端面が、窓側取付プレート２１における基端部側の起立片３０に当接した後、固着手段である固定ねじ５０を、起立片３０の上端部のねじ挿通孔４８に挿通させ、かつねじ孔４９に螺合させて、起立片３０を側框９に固着する。
このとき、起立片３０と固定ねじ５０の頭部とは、あり溝１１内に収容されるので、他物と干渉するおそれがなく、かつ体裁がよい。
【００４３】
この状態で、窓側取付プレート２１のねじ挿通孔３４、３８、３９と、下框８のねじ挿通孔４４、４５、４６と、当て板３６のねじ孔４０、４１、４２とは、互いに整合するので、それらに、固着手段である固定ねじ５１を挿通させて、ねじ孔４０、４１、４２に螺合させることにより、窓框７を、窓側取付プレート２１に、簡単かつ迅速に取り付けることができる。
【００４４】
したがって、窓側取付プレート２１を、従来のようなスペーサを用いることなく、固着手段をもって、直接窓框７に固着するので、大きな固着力が得られる。
【００４５】
また、窓側取付プレート２１に突部３３を設けたことにより、取付片３１が切欠き１２に嵌合するようにして、窓框７を窓側取付プレート２１上に載置した後、窓框７を窓側取付プレート２１の基端部に向かって相対的に摺動させる際に、突部３３が切欠き１２に嵌合することにより、窓框７が、位置ずれすることなく、窓側取付プレート２１の基端部に向かって円滑に案内されるとともに、窓框７の荷重が、取付片３１を介して、それに連続する起立片３２に集中するのを防止し、起立片３２と突部３３とによって、窓框７の荷重を分散して支えることができる。
【００４６】
なお、切欠き１２の左右方向の長さを長くすることにより、窓側取付プレート２１に窓框７を取り付ける際の窓框７を、起立片３０に向かって摺動させる移動量を小とすることができる。
【００４７】
上記の説明は、ステー３を窓枠１に取り付けておき、その後、窓側取付プレート２１に窓框７を取り付ける場合のものであるが、窓框７にステー３を予め取り付けておく場合は、上記と同様の要領で、窓框７に窓側取付プレート２１を取り付けることができる。この場合は、質量の大きい窓框７に、軽量のステー３を取り付けるので、上記の場合より、簡単かつ迅速に作業を行うことができる。
【００４８】
また、上記実施形態は、本発明を縦辷り出し窓に適用した場合のものであるが、本発明は、これに限定されるものではなく、向きを９０度変更することにより、横辷り出し窓にも適用することができる。
【００４９】
また、本発明は、上記実施形態のみに限定されるものではなく、特許請求の範囲を逸脱しない範囲で、例えば次のような変形した態様での実施が可能である。
(１)  取付片３１およびそれに連続する起立片３２の幅を、あり溝１１の開口幅より小とする。
このような構成とすると、取付片３１を、切り欠き１２を設けることなく、あり溝１１の開口部１１ａのどこからでもその奥部１１ｂに嵌合することができ、切り欠き１２を省略することができる。
(２)  固定ねじ５０を省略し、起立片３０を窓框７に当接させただけとする。この起立片３０は、窓側取付プレート２１への窓框７のねじ止め作業時の位置決めのためのものであるので、一旦位置決めがなされた後は、起立片３０を窓框７に固着させなくてもよいからである。
(３)  下框８に直接ねじ孔４０，４１、４２を設けることにより、当て板３６を省略する。
【符号の説明】
【００５０】
１  窓枠
２  障子
３  辷り出し窓用ステー
４  下枠
５  側枠
７  窓框
８  下框（框材）
８ａ本体部
８ｂ外向きフランジ
９  側框（框材）
９ａ本体部
９ｂ外向きフランジ
１０  内向き突部
１１  あり溝
１１ａ開口部
１１ｂ奥部
１２  切欠き
１３  固定ねじ
１４  枠側取付プレート
１５  枢軸
１６  ショートアーム
１７  枢軸
１８  ロングアーム
１９、２０  枢軸
２１  窓側取付プレート
２２  ４節リンク機構
２３  リベット
２３ａ筒部
２３ｂ拡径フランジ
２４、２５  軸孔
２６、２７  ワッシャ
２８、２９  ストッパ
３０  起立片
３１  取付片
３２  起立片
３３  突部
３４  ねじ挿通孔
３５  ストッパ
３６  当て板
３７  固定ねじ
３８、３９  ねじ挿通孔
４０〜４３  ねじ孔
４４〜４８  ねじ挿通孔
４９  ねじ孔
５０、５１  固定ねじ
【図１】
0005917874.tif 000002
【図２】
0005917874.tif 000003
【図３】
0005917874.tif 000004
【図４】
0005917874.tif 000005
【図５】
0005917874.tif 000006